(57)【要約】      （修正有）【課題】本考案の拡縮性能を備えた付け替え自在のキーホルダーキットは、キーホルダーを構成する各パーツを付け替え自在とすることにより、使用者の好みに合わせて、いつでも容易に、自在に拡張し、縮小することができる拡縮性能を備えた付け替え自在のキーホルダーキットを提供する。【解決手段】２組以上の支持プレートセットと、連結リング４１とからなる拡縮性能を備えた付け替え自在のキーホルダーキット１１であって、前記支持プレートセットは、メインプレートの１枚以上で構成されたメインプレート部２２と、前記メインプレート部の両側端部にそれぞれ当接される左右一対のサイドプレート２４と、からなり、前記２組以上の前記支持プレートセットどうしを重ね合わせるとともに前記連結リングを着脱自在に取り付けてなることを特徴とする拡縮性能を備えた付け替え自在のキーホルダーキット。【選択図】図６
0003233661.tif 000002
【実用新案登録請求の範囲】
【請求項１】
２組以上の支持プレートセットと、連結リングとからなる拡縮性能を備えた付け替え自在のキーホルダーキットであって、
前記支持プレートセットは、四隅に第１連結凹部を形成したメインプレートの１枚以上で構成されたメインプレート部と、
前記メインプレート部の両側端部にそれぞれ当接され、前記メインプレート部の前記第１連結凹部と対応する位置に第２連結凹部が形成されるとともに、挿通孔を備えた左右一対のサイドプレートと、からなり、
前記連結リングは、２組以上の前記支持プレートセットの前記第１連結凹部どうし、前記第２連結凹部どうし、前記挿通孔どうしの位置が合うように、２組以上の前記支持プレートセットどうしを重ね合わせることにより、互いに近接させた前記各連結凹部からなるプレート連結部分に着脱自在に取り付けられており、
使用者の好みに合わせて前記メインプレートと前記サイドプレートを自在に付け替えることができるようにしたことを特徴とする拡縮性能を備えた付け替え自在のキーホルダーキット。
【請求項２】
前記メインプレートおよび前記サイドプレートが、透明素材、半透明素材、不透明素材のいずれからなり、使用者の好みに合わせて自在に選択可能であることを特徴とする請求項１に記載の拡縮性能を備えた付け替え自在のキーホルダーキット。
【請求項３】
前記第１連結凹部および前記第２連結凹部は、前記第１連結凹部および前記第２連結凹部の凹形状の底部から立ち上げられ、先端に第１係合凸部を備えた係合突起を備えるとともに、
前記連結リングは、前記連結リングの中空内壁の、前記連結リングを前記プレート連結部分に取り付けた際に前記第１係合凸部と対応する位置に、前記第１係合凸部と係合する第２係合凸部を備えることにより、
前記連結リングを前記プレート連結部分に着脱自在に取り付けることができるようにしたことを特徴とする請求項１または２に記載の拡縮性能を備えた付け替え自在のキーホルダーキット。
【考案の詳細な説明】
【技術分野】
【０００１】
装飾部分を自在に拡張し、縮小すること（以下、拡縮性能という）ができる拡縮性能を備えた付け替え自在のキーホルダーキットに関するものである。
【背景技術】
【０００２】
使用者が身に着けるアクセサリーは古くから多くの形状・構造のものが提案されてきており、キーホルダーとしてもアクセサリーとしての使用をも可能とした装飾性の高い形状・構造のものが多く提案されている。このような装飾性の高いキーホルダーも含めたアクセサリーについては、使用者が自らの好みに合った形状・構造のものを手に入れて、その時々の場面に合わせたアクセサリーを身に着けている。
しかし、基本的にはアクセサリーの制作者が制作したものの中から、使用者は自らの好みに合った形状・構造のアクセサリーを見つけなければならず、自らの好みに合った形状・構造のアクセサリーと出会えないという事態、多少妥協した形状・構造のアクセサリーを身につけざるを得ないといった事態も起こりうる。
そこで、使用者が自ら、好みに合わせて組み立てることのできるアクセサリーキットが提案されている。
【０００３】
実用新案登録第３０４８０３３号公報（特許文献１）には、片面に透明な粘着剤層４が形成されている透明な第１の支持板２と、片面に粘着剤層６が形成されており、かつ着色されている第２の支持板３とを備え、第１，第２の支持板２，３の粘着剤層４，５間に、自分の好みの写真やデザインが施された装飾シートを、装飾面が第１の支持板側を向くように介在させ、第１，第２の支持板を貼り合わせることによりキーホルダーやバッジなどのアクセサリーとし得るアクセサリーキットが提案されている。
前記特許文献１のアクセサリーキットは、ユーザーが自分の好みの写真やイラストが表された装飾シートを用いてキーホルダーやバッジなどのアクセサリーキットを容易に組み立てることができ、装飾シートの装飾面の汚染が生じ難くかつ装飾シートの剥がれが生じ難いことを特徴としているものである。
【先行技術文献】
【特許文献】
【０００４】
【特許文献１】実用新案登録第３０４８０３３号公報
【考案の概要】
【考案が解決しようとする課題】
【０００５】
しかしながら前記特許文献１のアクセサリーキットは、装飾面積が第１の支持板の平板面の面積に限定されており、好みの写真やイラストを採用しようとしたときにも、前記第１の支持板の平板面の面積に納めなければならないという制約があった。また、前記アクセサリーキットは、前記第１の支持板の片面に粘着剤層を形成するとともに、前記第１の支持板に重ね合わせる第２の支持板の片面にも粘着剤層を形成して、前記第１の支持板と前記第２の支持板とを貼り合わせるようにしてあるため、一度組み立ててアクセサリーとして完成させてしまうと、もはや分離・分解することはできず、完成と同時にその装飾性も決定されてしまうという問題があった。
【０００６】
そこで、上記の問題を解決するため、本考案の拡縮性能を備えた付け替え自在のキーホルダーキットは、キーホルダーを構成する各パーツを付け替え自在とすることにより、使用者の好みに合わせて、視認可能なすべての装飾部分をいつでも容易に、自在に拡張し、縮小することができる拡縮性能を備えた付け替え自在のキーホルダーキットを提供することを目的とする。
【課題を解決するための手段】
【０００７】
すなわち本考案の拡縮性能を備えた付け替え自在のキーホルダーキットは、２組以上の支持プレートセットと、連結リングとからなる拡縮性能を備えた付け替え自在のキーホルダーキットであって、前記支持プレートセットは、四隅に第１連結凹部を形成したメインプレートの１枚以上で構成されたメインプレート部と、前記メインプレート部の両側端部にそれぞれ当接され、前記メインプレート部の前記第１連結凹部と対応する位置に第２連結凹部が形成されるとともに、挿通孔を備えた左右一対のサイドプレートと、からなり、前記連結リングは、２組以上の前記支持プレートセットの前記第１連結凹部どうし、前記第２連結凹部どうし、前記挿通孔どうしの位置が合うように、２組以上の前記支持プレートセットどうしを重ね合わせることにより、互いに近接させた前記各連結凹部からなるプレート連結部分に着脱自在に取り付けられており、使用者の好みに合わせて前記メインプレートと前記サイドプレートを自在に付け替えることができるようにしたことを特徴とするものである。
【０００８】
また、本考案の拡縮性能を備えた付け替え自在のキーホルダーキットは、前記メインプレートおよび前記サイドプレートが、透明素材、半透明素材、不透明素材のいずれからなり、使用者の好みに合わせて自在に選択可能であることをも特徴とするものである。
【０００９】
さらに、本考案の拡縮性能を備えた付け替え自在のキーホルダーキットにおいて、前記第１連結凹部および前記第２連結凹部は、前記第１連結凹部および前記第２連結凹部の凹形状の底部から立ち上げられ、先端に第１係合凸部を備えた係合突起を備えるとともに、前記連結リングは、前記連結リングの中空内壁の、前記連結リングを前記プレート連結部分に取り付けた際に前記第１係合凸部と対応する位置に、前記第１係合凸部と係合する第２係合凸部を備えることにより、前記連結リングを前記プレート連結部分に着脱自在に取り付けることができるようにしたことをも特徴とするものである。
【考案の効果】
【００１０】
本考案の拡縮性能を備えた付け替え自在のキーホルダーキットは、以上の構成からなるものであり、その奏する作用効果としては、次のものが挙げられる。
（１）メインプレートどうし、メインプレートとサイドプレートとは、着脱自在の連結リングにより連結してあるので、メインプレートとサイドプレートを何度でも付け替えることができ、使用者の好みに合わせて、いつでも、何度でも、容易に、異なる装飾性のキーホルダーを組み立てることができる。
（２）２組以上の支持プレートセットを重ね合わせて組み立てることができるので、支持プレートセットどうしの間に写真・イラストを挟み込んだり、支持プレートセット自体に写真・イラストをプリントしたりすることで、２組以上の支持プレートセットを重ね合わせた際に、非常にバリエーションが豊かで装飾性の高いキーホルダーを実現することができる。
（３）メインプレート部を構成するメインプレートは、使用者の好みに合わせて１枚とすることも、複数枚並べて配置することもできるので、支持プレートセットどうしの間に挟み込む写真・イラストのサイズに合わせて拡縮させることができる。
（４）２組以上の支持プレートセットを使用者の好みに応じて、幾重にも重ね合わせることができるので、支持プレートセットの平板面からの奥行きを持たせたることができ、非常にバリエーションの豊富なキーホルダーを実現することができる。
（５）２組以上の支持プレートセットを使用者の好みに応じて、幾重にも重ね合わせることができるので、視認可能なあらゆる部分、すなわち、支持プレートセットの平板面のみならず、支持プレートセットを積層させることによる周囲の厚み部分の装飾性をも自在に変更させることができる。
【図面の簡単な説明】
【００１１】
【図１】本考案の拡縮性能を備えた付け替え自在のキーホルダーキットの第１の実施例を示し、分解状態の概略正面図である。
【図２】支持プレートセットどうしを重ね合わせた状態の概略正面図である。
【図３】その概略斜視図である。
【図４】連結リングをプレート連結部分に取り付けた状態の概略正面図である。
【図５】その概略平面図である。
【図６】（ａ）その概略斜視図であり、（ｂ）はその概略透視斜視図である。
【図７】本考案の拡縮性能を備えた付け替え自在のキーホルダーキットの第２の実施例を示し、その分解状態の概略正面図である。
【図８】支持プレートセットどうしを重ね合わせた状態の概略正面図である。
【図９】その概略斜視図である。
【図１０】連結リングをプレート連結部分に取り付けた状態の概略正面図である。
【図１１】その概略平面図である。
【図１２】（ａ）その概略斜視図であり、（ｂ）はその概略透視斜視図である。
【図１３】本考案の拡縮性能を備えた付け替え自在のキーホルダーキットの第３の実施例を示し、その分解状態の概略正面図である。
【図１４】支持プレートセットどうしを重ね合わせた状態の概略正面図である。
【図１５】その概略斜視図である。
【図１６】連結リングをプレート連結部分に取り付けた状態の概略正面図である。
【図１７】その概略平面図である。
【図１８】その概略斜視図である。
【図１９】第１の実施例において、支持プレートセットどうしの間に写真を挟み込もうとする状態を示す概略正面図である。
【図２０】第１の実施例において、支持プレートセットどうしの間に写真を挟み込んだ状態を示す概略正面図である。
【図２１】第３の実施例において、支持プレートセットごとに配色を変更して厚み部分に装飾性を備えるよう組み立てた状態を示す概略斜視図である。
【図２２】第３の実施例において、支持プレートセットごとに異なるイラストをプリントした分解状態を示す概略正面図である。
【図２３】第３の実施例において、支持プレートセットごとに異なるイラストをプリントして、装飾部分に奥行きを持たせるように組み立てた状態を示す概略正面図である。
【考案を実施するための形態】
【００１２】
以下、本考案の拡縮性能を備えた付け替え自在のキーホルダーキットに係る実施の形態を図面に基いて詳細に説明する。
図１ないし図６は、本考案の拡縮性能を備えた付け替え自在のキーホルダーキットの第１実施例を示すものである。
図において、本考案の拡縮性能を備えた付け替え自在のキーホルダーキット１１は、２組の支持プレートセット２１，３１と、連結リング４１とからなる。
【００１３】
前記支持プレートセット２１は、メインプレート部２２と、前記メインプレート部２２の両側端部にそれぞれ当接される左右一対のサイドプレート２４とから構成されている。
第１実施例の拡縮性能を備えた付け替え自在のキーホルダーキット１１において、前記メインプレート部２２は、四隅に第１連結凹部２３ａを形成したメインプレート２３の１枚で構成されている。もちろん、１枚のみならず、使用者の好みに応じて複数枚のメインプレートを並列に配置したメインプレート部とすることもできる。
また、前記左右一対のサイドプレート２４は、前記メインプレート部２２を構成する前記メインプレート２３の前記第１連結凹部２３ａと対応する位置に第２連結凹部２４ａが形成されるとともに、挿通孔２４ｂを備えている。
【００１４】
前記支持プレートセット３１は、前記支持プレートセット２１と同様の構成をなし、メインプレート部３２と、前記メインプレート部３２の両側端部にそれぞれ当接される左右一対のサイドプレート３４とから構成されている。
第１実施例の拡縮性能を備えた付け替え自在のキーホルダーキット１１において、前記メインプレート部３２は、四隅に第１連結凹部３３ａを形成したメインプレート３３の１枚で構成されている。
また、前記左右一対のサイドプレート３４は、前記メインプレート部３２を構成する前記メインプレート３３の前記第１連結凹部３３ａと対応する位置に第２連結凹部３４ａが形成されるとともに、挿通孔３４ｂを備えている。
なお、前記メインプレート２３，３３および前記サイドプレート２４，３４は、透明素材、半透明素材、不透明素材のいずれの素材も好適に用いることができ、使用者の好みに合わせて自在に選択可能とすることにより、様々な組み合わせによりあらゆる装飾性を備えたキーホルダーを組み立てることができる。
【００１５】
前記連結リング４１は、２組の前記支持プレートセット２１，３１の前記第１連結凹部２３ａ，３３ａどうし、前記第２連結凹部２４ａ，３４ａどうし、前記挿通孔２４ｂ，３４ｂどうしの位置が合うように、２組の前記支持プレートセット２１，３１どうしを重ね合わせることにより、互いに近接させた前記各連結凹部からなるプレート連結部分４２に着脱自在に取り付けられている。
【００１６】
より詳しくは、前記第１連結凹部２３ａ，３３ａおよび前記第２連結凹部２４ａ，３４ａは、前記第１連結凹部２３ａ，３３ａおよび前記第２連結凹部２４ａ，３４ａの凹形状の底部から立ち上げられ、先端に第１係合凸部５１ａを備えた係合突起５１を備えるとともに、前記連結リング４１は、前記連結リング４１の中空内壁の、前記連結リング４１を前記プレート連結部分４２に取り付けた際に前記第１係合凸部５１ａと対応する位置に、前記第１係合凸部５１ａと係合する第２係合凸部４１ａを備えることにより、前記連結リング４１を前記プレート連結部分４２に着脱自在に取り付けることができるようにしている。
【００１７】
図７ないし図１２は、本考案の拡縮性能を備えた付け替え自在のキーホルダーキットの第２実施例を示すものである。
図において、本考案の拡縮性能を備えた付け替え自在のキーホルダーキット６１は、２組の支持プレートセット７１，８１と、連結リング９１とからなる。
【００１８】
前記支持プレートセット７１は、メインプレート部７２と、前記メインプレート部７２の両側端部にそれぞれ当接される左右一対のサイドプレート７４とから構成されている。
第２実施例の拡縮性能を備えた付け替え自在のキーホルダーキット６１において、前記メインプレート部７２は、四隅に第１連結凹部７３ａを形成されたメインプレート７３を２枚並列に配置した状態で構成されている。もちろん、２枚のみならず、使用者の好みに応じて複数枚のメインプレートを並列に配置したメインプレート部とすることもできる。
また、前記左右一対のサイドプレート７４は、前記メインプレート部７２を構成する前記メインプレート７３の前記第１連結凹部７３ａと対応する位置に第２連結凹部７４ａが形成されるとともに、挿通孔７４ｂを備えている。
【００１９】
前記支持プレートセット８１は、前記支持プレートセット８１と同様の構成をなし、メインプレート部８２と、前記メインプレート部８２の両側端部にそれぞれ当接される左右一対のサイドプレート８４とから構成されている。
第２実施例の拡縮性能を備えた付け替え自在のキーホルダーキット６１において、前記メインプレート部８２は、四隅に第１連結凹部８３ａを形成されたメインプレート８３を前記支持プレートセット７１の前記メインプレート部７２と同様の枚数を並列に配置した状態で構成されている。
また、前記左右一対のサイドプレート８４は、前記メインプレート部８２を構成する前記メインプレート８３の前記第１連結凹部８３ａと対応する位置に第２連結凹部８４ａが形成されるとともに、挿通孔８４ｂを備えている。
なお、前記メインプレート７３，８３および前記サイドプレート７４，８４は、透明素材、半透明素材、不透明素材のいずれの素材も好適に用いることができ、使用者の好みに合わせて自在に選択可能とすることにより、様々な組み合わせによりあらゆる装飾性を備えたキーホルダーを組み立てることができる。
【００２０】
前記連結リング９１は、２組の前記支持プレートセット７１，８１の前記第１連結凹部７３ａ，８３ａどうし、前記第２連結凹部７４ａ，８４ａどうし、前記挿通孔７４ｂ，８４ｂどうしの位置が合うように、２組の前記支持プレートセット７１，８１どうしを重ね合わせることにより、互いに近接させた前記各連結凹部からなるプレート連結部分９２に着脱自在に取り付けられている。
【００２１】
より詳しくは、前記第１連結凹部７３ａ，８３ａおよび前記第２連結凹部７４ａ，８４ａは、前記第１連結凹部７３ａ，８３ａおよび前記第２連結凹部７４ａ，８４ａの凹形状の底部から立ち上げられ、先端に第１係合凸部１０１ａを備えた係合突起１０１を備えるとともに、前記連結リング９１は、前記連結リング９１の中空内壁の、前記連結リング９１を前記プレート連結部分９２に取り付けた際に前記第１係合凸部１０１ａと対応する位置に、前記第１係合凸部１０１ａと係合する第２係合凸部９１ａを備えることにより、前記連結リング９１を前記プレート連結部分９２に着脱自在に取り付けることができるようにしている。
なお、上述の第２実施例においては、メインプレート７３を２枚並列に配置して組み立てたものであるが、もちろん前記メインプレート７３を２枚並列に配置することに限定されるものではなく、本考案の要旨を変更しない範囲で３枚以上のメインプレートを並列に配置してもよい。
【００２２】
図１３ないし図１８は、本考案の拡縮性能を備えた付け替え自在のキーホルダーキットの第３実施例を示すものである。
図において、本考案の拡縮性能を備えた付け替え自在のキーホルダーキット１１１は、３組の支持プレートセット１２１，１３１，１６１と、連結リング１４１とからなる。
【００２３】
前記支持プレートセット１２１は、メインプレート部１２２と、前記メインプレート部１２２の両側端部にそれぞれ当接される左右一対のサイドプレート１２４とから構成されている。
第３実施例の拡縮性能を備えた付け替え自在のキーホルダーキット１１１において、前記メインプレート部１２２は、四隅に第１連結凹部１２３ａを形成したメインプレート１２３の１枚で構成されている。もちろん、１枚のみならず、使用者の好みに応じて複数枚のメインプレートを並列に配置したメインプレート部とすることもできる。
また、前記左右一対のサイドプレート１２４は、前記メインプレート部１２２を構成する前記メインプレート１２３の前記第１連結凹部１２３ａと対応する位置に第２連結凹部１２４ａが形成されるとともに、挿通孔１２４ｂを備えている。
【００２４】
前記支持プレートセット１３１は、前記支持プレートセット１２１と同様の構成をなし、メインプレート部１３２と、前記メインプレート部１３２の両側端部にそれぞれ当接される左右一対のサイドプレート１３４とから構成されている。
第３実施例の拡縮性能を備えた付け替え自在のキーホルダーキット１１１において、前記メインプレート部１３２は、四隅に第１連結凹部１３３ａを形成したメインプレート１３３の１枚で構成されている。
また、前記左右一対のサイドプレート１３４は、前記メインプレート部１３２を構成する前記メインプレート１３３の前記第１連結凹部１３３ａと対応する位置に第２連結凹部１３４ａが形成されるとともに、挿通孔１３４ｂを備えている。
【００２５】
前記支持プレートセット１６１は、前記支持プレートセット１２１，１３１と同様の構成をなし、メインプレート部１６２と、前記メインプレート部１６２の両側端部にそれぞれ当接される左右一対のサイドプレート１６４とから構成されている。
第３実施例の拡縮性能を備えた付け替え自在のキーホルダーキット１１１において、前記メインプレート部１６２は、四隅に第１連結凹部１６３ａを形成したメインプレート１６３の１枚で構成されている。
また、前記左右一対のサイドプレート１６４は、前記メインプレート部１６２を構成する前記メインプレート１６３の前記第１連結凹部１６３ａと対応する位置に第２連結凹部１６４ａが形成されるとともに、挿通孔１６４ｂを備えている。
なお、前記メインプレート１２３，１３３，１６３および前記サイドプレート２４，３４，６４は、透明素材、半透明素材、不透明素材のいずれの素材も好適に用いることができ、使用者の好みに合わせて自在に選択可能とすることにより、様々な組み合わせによりあらゆる装飾性を備えたキーホルダーを組み立てることができる。
【００２６】
前記連結リング１４１は、３組の前記支持プレートセット１２１，１３１，１６１の前記第１連結凹部１２３ａ，１３３ａ，１６３ａどうし、前記第２連結凹部１２４ａ，１３４ａ，１６４ａどうし、前記挿通孔１２４ｂ，１３４ｂ，１６４ｂどうしの位置が合うように、３組の前記支持プレートセット１２１，１３１，１６１どうしを重ね合わせることにより、互いに近接させた前記各連結凹部からなるプレート連結部分１４２に着脱自在に取り付けられている。
【００２７】
より詳しくは、前記第１連結凹部１２３ａ，１３３ａ，１６３ａおよび前記第２連結凹部１２４ａ，１３４ａ，１６４ａは、前記第１連結凹部１２３ａ，１３３ａ，１６３ａおよび前記第２連結凹部１２４ａ，１３４ａ，１６４ａの凹形状の底部から立ち上げられ、先端に第１係合凸部１５１ａを備えた係合突起１５１を備えるとともに、前記連結リング１４１は、前記連結リング１４１の中空内壁の、前記連結リング１４１を前記プレート連結部分１４２に取り付けた際に前記第１係合凸部１５１ａと対応する位置に、前記第１係合凸部１５１ａと係合する第２係合凸部１４１ａを備えることにより、前記連結リング１４１を前記プレート連結部分１４２に着脱自在に取り付けることができるようにしている。
なお、上述の第３実施例においては、３組の前記支持プレートセット１２１，１３１，１６１を重ね合わせて組み立てたものであるが、もちろん３組に限定されるものではなく、本考案の要旨を変更しない範囲で４組以上の支持プレートセットを重ね合わせてもよい。
【００２８】
図１９および図２０は、上述の第１実施例において、前記支持プレートセット２１，３１どうしの間に写真を挟み込む場合を示すものである。
まず、図１９に示すように、写真１７１を前記支持プレートセット２１と前記支持プレートセット３１の間に配置する。そして図２０に示すように前記支持プレートセット２１，３１どうしの間に前記写真１７１を挟み込むように、前記支持プレートセット２１，３１どうしを重ね合わせるのである。
このようにすることにより、前記写真１７１をキーホルダーとともに日常的に携帯することができるとともに、前記支持プレートセット２１，３１どうしで前記写真１７１を挟み込むことで写真１７１の劣化・汚損をも防ぐことができ、長期にわたり鮮明な写真としてキーホルダーとともに携帯することができる。
【００２９】
図２１は、上述の第３実施例において、前記支持プレートセット１２１，１３１，１６１のそれぞれを構成するメインプレートとサイドプレートに様々な異なる着色を施して重ね合わせた状態を示すものである。このように、複数組の支持プレートセットを重ね合わせることにより、支持プレートセットの平板面のみならず、支持プレートセットの重ね合わせにより生じる厚み部分１７２にも装飾性を備えることができるのである。
なお、図において、前記メインプレートとサイドプレートは有色の不透明素材としてあるが、もちろん有色の半透明素材や透明素材と組み合わせてもよい。
【００３０】
図２２および図２３は、上述の第３実施例において、前記支持プレートセット１２１，１３１，１６１にそれぞれ異なるイラストをプリントして重ね合わせた状態を示すものである。
まず、図２２に示すように、前記支持プレートセット１２１には泡のイラスト１７３ａ、前記支持プレートセット１３１には魚のイラスト１７３ｂ、前記支持プレートセット１６１には水中のイラスト１７３ｃをプリントしてある。そして、図２３に示すように、前記支持プレート１２１，１３１，１６１を重ね合わせると、あたかも魚が水中を泳いでいるような奥行きのある非常に高い装飾性を実現することもできるのである。
もちろん、イラスト等を直接メインプレートおよびサイドプレートにプリントするほか、クリアシート等の透明素材にイラスト等をプリントしたものを、前記支持プレートセット間に挟み込んでもよい。
【産業上の利用可能性】
【００３１】
上述のとおり、本考案の拡縮性能を備えた付け替え自在のキーホルダーキットは、キーホルダーとして好適に用いることができるものであるが、もちろん上述のキーホルダーに限らずその他のアクセサリーに適用することができるほか、写真立てその他の置物等のインテリア、あるいは宣伝広告を目的とした業務用ディスプレイ等にも適用することができる。
【符号の説明】
【００３２】
１１  拡縮性能を備えた付け替え自在のキーホルダーキット
２１  支持プレートセット
２２  メインプレート部
２３  メインプレート
２３ａ  第１連結凹部
２４  左右一対のサイドプレート
２４ａ  第２連結凹部
２４ｂ  挿通孔
３１  支持プレートセット
３２  メインプレート部
３３  メインプレート
３３ａ  第１連結凹部
３４  左右一対のサイドプレート
３４ａ  第２連結凹部
３４ｂ  挿通孔
４１  連結リング
４１ａ  第２係合凸部
４２  プレート連結部分
５１  係合突起
５１ａ  第１係合凸部
６１  拡縮性能を備えた付け替え自在のキーホルダーキット
７１  支持プレートセット
７２  メインプレート部
７３  メインプレート
７３ａ  第１連結凹部
７４  左右一対のサイドプレート
７４ａ  第２連結凹部
７４ｂ  挿通孔
８１  支持プレートセット
８２  メインプレート部
８３  メインプレート
８３ａ  第１連結凹部
８４  左右一対のサイドプレート
８４ａ  第２連結凹部
８４ｂ  挿通孔
９１  連結リング
９１ａ  第２係合凸部
９２  プレート連結部分
１０１  係合突起
１０１ａ  第１係合凸部
１１１  拡縮性能を備えた付け替え自在のキーホルダーキット
１２１  支持プレートセット
１２２  メインプレート部
１２３  メインプレート
１２３ａ  第１連結凹部
１２４  左右一対のサイドプレート
１２４ａ  第２連結凹部
１２４ｂ  挿通孔
１３１  支持プレートセット
１３２  メインプレート部
１３３  メインプレート
１３３ａ  第１連結凹部
１３４  左右一対のサイドプレート
１３４ａ  第２連結凹部
１３４ｂ  挿通孔
１４１  連結リング
１４１ａ  第２係合凸部
１４２  プレート連結部分
１５１  係合突起
１５１ａ  第１係合凸部
１６１  支持プレートセット
１６２  メインプレート部
１６３  メインプレート
１６３ａ  第１連結凹部
１６４  左右一対のサイドプレート
１６４ａ  第２連結凹部
１６４ｂ  挿通孔
１７１  写真
１７２  厚み部分
１７３ａ  泡のイラスト
１７３ｂ  魚のイラスト
１７３ｃ  水中のイラスト
【図１】
0003233661.tif 000003
【図２】
0003233661.tif 000004
【図３】
0003233661.tif 000005
【図４】
0003233661.tif 000006
【図５】
0003233661.tif 000007
【図６】
0003233661.tif 000008
【図７】
0003233661.tif 000009
【図８】
0003233661.tif 000010
【図９】
0003233661.tif 000011
【図１０】
0003233661.tif 000012
【図１１】
0003233661.tif 000013
【図１２】
0003233661.tif 000014
【図１３】
0003233661.tif 000015
【図１４】
0003233661.tif 000016
【図１５】
0003233661.tif 000017
【図１６】
0003233661.tif 000018
【図１７】
0003233661.tif 000019
【図１８】
0003233661.tif 000020
【図１９】
0003233661.tif 000021
【図２０】
0003233661.tif 000022
【図２１】
0003233661.tif 000023
【図２２】
0003233661.tif 000024
【図２３】
0003233661.tif 000025